(57)【要約】【課題】ボトルに取り付けられ、蓋部の開封操作が片手ででき、さらに誤動作による蓋部の開封を防止するワンタッチ開封キャップを提供する。【解決手段】ボトルに連結する連結手段、前記連結手段の一部に接続し前記連結手段との間に空間をおいて配置され左右からの押圧力で先端が前方に押し出されるように変形するリング、及び前記リングの先端に設けられた係止部を備えるベースと、前記ベースに回動可能に設けられ閉じたとき前記ノズルを覆う本体、及び前記本体に設けられ閉じたときに前記係止部に係止する爪を備える蓋部と、からなり、前記リングを左右から押圧することで、前記リングが変形し、前記爪が係止部から開放され、前記蓋部が回動して前記ノズルが開封されることを特徴とするワンタッチ開封キャップの構成とした。【選択図】図１
2018127245.tif 000002
【特許請求の範囲】
【請求項１】
ボトルに連結する連結手段、前記連結手段の一部に接続し前記連結手段との間に空間をおいて配置され左右からの押圧力で先端が前方に押し出されるように変形するリング、及び前記リングの先端に設けられた係止部を備えるベースと、
前記ベースに回動可能に設けられ閉じたとき前記ノズルを覆う本体、及び前記本体に設けられ閉じたときに前記係止部に係止する爪を備える蓋部と、
からなり、
前記リングを左右から押圧することで、前記リングが変形し、前記爪が係止部から開放され、前記蓋部が回動して前記ノズルが開封されることを特徴とするワンタッチ開封キャップ。
【請求項２】
前記連結手段と前記ベースの先端とを連結し、前記係止部付近を上方に変形しないよう押さえ込むとともに、前記先端の変形移動を可能にする押さえ機構を備えることを特徴とする請求項１に記載のワンタッチ開封キャップ。
【請求項３】
前記蓋部の回動がバネ付勢によることを特徴とする請求項１に記載のワンタッチ開封キャップ。
【請求項４】
前記ベースの後方に突起が突設され、前記蓋部が前記突起を乗り超え回動するとともに、前記蓋部が前記突起に係止され、前記蓋部の開封状態を保持することを特徴とする請求項１に記載のワンタッチ開封キャップ。
【請求項５】
前記ボトルが、内部の内容物を突出するノズルを備え、前記蓋部の内側に前記蓋部との間に空間を設け配置したクッション材でできたシール部を備え、前記蓋部を閉じたとき前記シール部に前記ノズルの先端が気密的に当接することを特徴とする請求項１に記載のワンタッチ開封キャップ。
【請求項６】
請求項１〜請求項５の何れか１項に記載のワンタッチ開封キャップと、前記ワンタッチ開封キャップを連結するボトルと、からなり、前記ボトル内部に内容物が充填されることを特徴とする保存吐出装置。
【請求項７】
前記内容物が、歯科用薬品であることを特徴とする請求項６に記載の保存突出装置。
【発明の詳細な説明】
【技術分野】
【０００１】
本発明は、ボトルに取り付けられ、蓋部の開封操作が片手ででき、さらに誤動作による蓋部の開封を防止したワンタッチ開封キャップに関する。
【背景技術】
【０００２】
繰り返し開閉されるボトルのキャップとしては、ボトルを一方の手で押さえ、他方の手でキャップを回して開封する螺合式、係止部と爪とを係止させる嵌着式などがある。しかし、いずれも開封作業でも両手の操作を必要とする。両手で開封するキャップは、他の作業中にその作業を中断して開封する必要があり、使い勝手がよくない。
【０００３】
そこで、片手で開封操作ができる、キャップが開発されている。例えば、特許文献１のディスペンサーなどである。特許文献１のディスペンサーは、出口を備えた本体と、出口の密閉部とを含み、密閉部と本体とは、出口が開く開放位置と密閉部が出口を閉じる閉鎖位置との間で互いに対して枢動可能に移動可能とし、密閉部と本体とは、閉鎖位置で互いに固定係合するように適合される。密閉部は、閉鎖位置で、密閉部と本体とを固定する及び密閉部と本体との固定を解除する固定部材を有し、固定を解除するために、固定部材に加えられる力は、密閉部を開放位置の方へ付勢する。そして、ディスペンサーは、分配される材料の所望位置への塗布を好ましくは容易にする。というものである。
【０００４】
しかしながら、特許文献１では、容器が落下、置物に当たり、固定部材７が押圧され、意図しない開封（誤動作）で内容物が漏れ出すこと、また、指で固定部材７を押し上げて開封するため、滴下ノズル９の先端に指が当たることもあり衛生面の問題があった。
【先行技術文献】
【特許文献】
【０００５】
【特許文献１】特表２０１３−５１００５１号公報
【発明の概要】
【発明が解決しようとする課題】
【０００６】
そこで、本発明は、ボトルに取り付けられ、蓋部の開封操作が片手ででき、さらに誤動作による開封を防止するワンタッチ開封キャップを提供することを目的とする。
【課題を解決するための手段】
【０００７】
本発明は、上記課題を解決するため、
（１）
ボトルに連結する連結手段、前記連結手段の一部に接続し前記連結手段との間に空間をおいて配置され左右からの押圧力で先端が前方に押し出されるように変形するリング、及び前記リングの先端に設けられた係止部を備えるベースと、
前記ベースに回動可能に設けられ閉じたとき前記ノズルを覆う本体、及び前記本体に設けられ閉じたときに前記係止部に係止する爪を備える蓋部と、
からなり、
前記リングを左右から押圧することで、前記リングが変形し、前記爪が係止部から開放され、前記蓋部が回動して前記ノズルが開封されることを特徴とするワンタッチ開封キャップ。
（２）
前記連結手段と前記ベースの先端とを連結し、前記係止部付近を上方に変形しないよう押さえ込むとともに、前記先端の変形移動を可能にする押さえ機構を備えることを特徴とする（１）に記載のワンタッチ開封キャップ。
（３）
前記蓋部の回動がバネ付勢によることを特徴とする（１）に記載のワンタッチ開封キャップ。
（４）
前記ベースの後方に突起が突設され、前記蓋部が前記突起を乗り超え回動するとともに、前記蓋部が前記突起に係止され、前記蓋部の開封状態を保持することを特徴とする（１）に記載のワンタッチ開封キャップ。
（５）
前記ボトルが、内部の内容物を突出するノズルを備え、前記蓋部の内側に前記蓋部との間に空間を設け配置したクッション材でできたシール部を備え、前記蓋部を閉じたとき前記シール部に前記ノズルの先端が気密的に当接することを特徴とする（１）に記載のワンタッチ開封キャップ。
（６）
（１）〜（５）の何れか１に記載のワンタッチ開封キャップと、前記ワンタッチ開封キャップを連結するボトルと、からなり、前記ボトル内部に内容物が充填されることを特徴とする保存吐出装置。
（７）
前記内容物が、歯科用薬品であることを特徴とする（６）に記載の保存突出装置。
とした。
【発明の効果】
【０００８】
本発明は、上記構成であるので、第一に、蓋部の開封操作が片手ででき、さらに誤動作による蓋部の開封を防止することもできる。また、押さえ機構を備えることで、開封精度が高まる。バネ付勢で蓋部を回転させることで指がノズルに触れることがなくノズルを衛生に保つことができる。
【０００９】
蓋部を回動可能に保持するベースに突起を設け、回動時の回転力で突起を蓋部の端部が乗り越えることで、ワンタッチ開封キャップを上下逆さまに使用しても、蓋部の開放保持することができ、内容物が蓋部によって滴下阻害されない。
【００１０】
クッション材でできたシール部と蓋部の間に空間を設けることで、ノズルの先端とシール部の接触量を安定させ、ノズルの潰れによる変形、劣化を防止し、ボトル内の気密性を保つことができる。
【図面の簡単な説明】
【００１１】
【図１】本発明であるワンタッチ開封キャップの一例をボトルに取り付けた保存吐出装置の図で、（Ａ）が蓋部閉時の正面側斜視図、（Ｂ）が蓋部開封時の正面側斜視図、（Ｃ）が蓋部閉時の背面側斜視図、（Ｄ）が蓋部開封時の背面側斜視図である。
【図２】本発明である保存吐出装置のワンタッチ開封キャップが閉じているときの図面で、（Ａ）は正面、（Ｂ）は左側面、（Ｃ）は背面、（Ｄ）は平面、（Ｅ）は底面、（Ｆ）はＡ−Ａ断面、（Ｇ）はＢ−Ｂ断面図である。
【図３】本発明である保存吐出装置のワンタッチ開封キャップが開いているときの図面で、（Ａ）は正面、（Ｂ）は左側面、（Ｃ）は平面、（Ｄ）は底面、（Ｅ）はＣ−Ｃ断面、（Ｆ）はＤ−Ｄ断面図である。
【図４】本発明である保存吐出装置の図２（Ｆ）の分割断面図である。（Ａ）は図２（Ｆ）と同一図、（Ｂ）はボトル、（Ｃ）はカバー、（Ｄ）は本発明であるワンタッチ開封キャップが閉じているときの断面、（Ｅ）はワンタッチ開封キャップが開いたときの断面図である。
【図５】本発明である保存吐出装置の背面斜視図である。
【図６】本発明であるワンタッチ開封キャップの押圧、変形による開封機構の説明図である。（Ａ）は左右からの押圧力（Ｆ１、Ｆ２）により、ベースが変形したときの様子を示す平面図である。（Ｂ）は、変形前、或いは変形が回復したときのベースを示す平面図である。
【図７】内容物をノズルから滴下するときの様子を示す断面図である。
【発明を実施するための形態】
【００１２】
以下、添付図面に基づき、本発明の実施の形態について詳細に説明する。ただし、本発明はそれら実施形態に限定されるものではない。
【実施例１】
【００１３】
図１−６に示すように、本発明である保存吐出装置１は、ボトル２と、カバー３と、ワンタッチ開封キャップ４とかなる。
【００１４】
ボトル２は、内容物２ｂ、取り分け流動物、例えば、歯科で用いられる薬品（歯科用接着剤）が充填される本体２ａと、本体２ａ上部に位置し、外側にワンタッチ開封キャップ４に螺合するネジ山２ｄを備えた連結部２ｃと、連結部の上方に位置し、内容物２ｂを先端部２ｆから吐出、或いは滴下するノズル２ｅとかなる。本体２ａ、ノズル２ｅの形状、素材は、内容物２ｂの要求、吐出方法に応じて適宜選択される。連結部２ｃは、ワンタッチ開封キャップ４と連結すればその形状に制限はない。
【００１５】
カバー３は、ボトル２を内部空間に係止して、収納し、ボトル２への衝撃、例えば落下の衝撃を緩衝するクッション材、さらに内容物２ｂが揮発性の場合などでは、必要に応じて、ボトル２（内容物２ｂ）への熱伝導を阻害する断熱性材などでできている。
【００１６】
ワンタッチ開封キャップ４は、主に図４（Ｅ）に明示したように、ベース５と、蓋部６とからなり、必要に応じてシール部７とバネ８（図４，５）を備え、ボトル２に取り付けられ、ノズル２ｅを覆い、開封操作が片手でできる。
【００１７】
ベース５は、例えば内側にボトル２に連結するネジ部５ａを設けた筒状の連結手段５ｍと、連結手段５ｍの一部に接続し、連結手段５ｍとの間にスペース５ｒをおいて配置され、左右からの押圧力（例えば左右の押部５ｃ、５ｃに対する左右同時の押圧力）で、先端５ｋが前方に押し出されるように変形するリング５ｂと、リング５ｂの先端に設けられた係止部５ｄとを備えてなる。
【００１８】
連結手段５ｍは、内部にボトル２の連結部２ｃ、ノズル２ｅを配置し、ノズル２ｅの先端部２ｆは、穴５ｈより突出する。係止部５ｄは、蓋部の爪６ｂが係止される。
【００１９】
さらに、ベース５は、連結手段５ｍとベース５の先端２ｋとを連結し、係止部５ｄ付近を上方に変形しないよう押さえ込むとともに、先端５ｋの前方への変形移動（図６（Ａ））を可能にする、押さえ機構を備える。
【００２０】
押さえ機構５ｎの一例は、図１の破線内、また図４に明示すように、連結手段５ｍの外周に一端が連結し、縦断面（図４（Ｅ））において略Ｌ字型で、連結手段５ｍに空間５ｉをあけて配置される押さえ部材５ｆと、リング５ｂの先端５ｋから突出するとともに、その上面に押さえ部材５ｆの他端である下端が連設される二枚の枠板５ｅ、５ｅとからなる。
【００２１】
押さえ機構５ｎ及び係止部５ｄで平面視四角形状の開口５ｐを形成し、開口５ｐに爪６ｂが入り、係止部５ｄに爪６ｂが係止されて、蓋部６がベース５に係止し、ノズル２ｅの封を保持する。図４における破線内に、係止部５ｄと爪６ｂとの係止状態が示されている。
【００２２】
また、ベース５には、反先端５ｋ側に蓋部６を回動可能に取り付けられた部分である受け部５ｓと、受け部５ｓから突起した左右の軸５ｔを備える。左右の軸５ｔに蓋部６の下端が嵌着して、軸５ｔを中心に蓋部６は回動する。
【００２３】
また、蓋部６の開封状態を維持するための一例として、受け部５ｓに、突起５ｇが突設されている。開封時の回転力で、蓋部６の末端６ｃは突起５ｇを乗り越えるが、蓋部６が突起５ｇを乗り越えた後は、内容物２ｂを滴下するため、上下逆さまにしても（図７）、蓋部６の重みで末端６ｃは突起５ｇを乗り越えず、蓋部６（ノズル２ｅ）の開封状態が維持される。
【００２４】
蓋部６は、ベース５に回動可能に設けられ、閉じたときノズル２ｅを覆う本体６ａと、本体６ａに設けられ、閉じたときに係止部５ｄに係止する爪６ｂからなる。さらに、本体６ａの内部には、強度補強のリブ６ｈが設けられ、リブ６ｈに溝６ｄが穿設され、シール部７を収納する。溝６ｄの四方には、シール部７の脱落を防止、係止する爪６ｉが突設されている。また、左右の押部５ｃ、５ｃを側面方向に突出させるため、蓋部６の左右の下端には、押部５ｃ、５ｃの外縁に密着する形状の切り欠き６ｅ、６ｅが設けられている。
【００２５】
シール部７は、ノズル２ｅの先端部２ｆが当接する箇所で、クッション材で形成するとよく、ノズル２ｅの保護及び安定した封止密封性が得られる。さらに、蓋部６の本体６ａの内側に本体６ａとの間に空間７ａを設けシール部７を配置すると、一層安定した封止気密性が得られる。
【００２６】
バネ８は、図５に示すように、ねじりコイルバネで、コイル部を軸５ｔに嵌め、端部腕部をベース５と蓋部６にそれぞれ係止させ、ノズル２ｅを露出させる方向に蓋部６が回動するようバネ付勢が働いている。ねじりコイルバネに限定することなく、爪６ｂが係止部５ｄから開放されたとき、ノズル２ｅを露出させる方向に蓋部６が回動すれば、どのような開放機構を採用してもよい。
【００２７】
このようにしてなるワンタッチ開封キャップ４は、図６（Ａ）に示すように、リング５ｂを左右から押圧することで、リング５ｂが変形（左右幅ＷがＷ‘に圧縮され、長手方向長ＬがＬ’に長く変形）し、爪６ｂが係止部５ｄから開放され、蓋部６がバネ付勢により回動してノズル２ｅが露出、開封される。
【００２８】
リング５ｂのバネ性により蓋部６を繰り返し開閉でき、左右からの同時押圧によりリング５ｂが変形し、爪６ｂが係止部５ｄから開放されるため誤操作が防止される。例えば、落下などで、一方の押部５ｃのみ押圧では、他方側のバネが変形圧を吸収（緩衝）し、爪６ｂが係止部５ｄから開放されるほどの十分な変形を与えることができず、誤って蓋部６が回動することがない。
【符号の説明】
【００２９】
１      保存吐出装置
２      ボトル
２ａ    本体
２ｂ    内容物
２ｃ    連結部
２ｄ    ネジ山
２ｅ    ノズル
２ｆ    先端部
３      カバー
４      ワンタッチ開封キャップ
５      ベース
５ａ    ネジ部
５ｂ    リング
５ｃ    押部
５ｄ    係止部
５ｅ    枠板
５ｆ    押さえ部材
５ｇ    突起
５ｈ    穴
５ｉ    空間
５ｋ    先端
５ｍ    連結手段
５ｎ    押さえ機構
５ｐ    開口
５ｒ    スペース
５ｓ    受け部
５ｔ    軸
６      蓋部
６ａ    本体
６ｂ    爪
６ｃ    末端
６ｄ    溝
６ｅ    切り欠き
６ｈ    リブ
６ｉ    爪
７      シール部
７ａ    空間
８      バネ
【図１】
2018127245.tif 000003
【図２】
2018127245.tif 000004
【図３】
2018127245.tif 000005
【図４】
2018127245.tif 000006
【図５】
2018127245.tif 000007
【図６】
2018127245.tif 000008
【図７】
2018127245.tif 000009